(57)【要約】  本発明は、コンテナからの流出の際に薬液のｐＨを一定に保つための方法を示し、この装置では、薬液の流出中にＣＯ２と少なくとも１つの更なるガス又はガス混合物とがコンテナに流入する。さらに、本発明は、コンテナからの流出の際に薬液のｐＨを一定に保つための装置を示し、このコンテナは、薬液のための流出口と、ＣＯ２のための少なくとも１つの流入口と、１以上の更なるガス又はガス混合物のための流入口と、薬液の流出中にＣＯ２量を決定し自動的に供給するための電子制御とを備えている。
2010535550.tif 000002
【特許請求の範囲】
【請求項１】
コンテナからの流出時に薬液のｐＨを一定に保つための方法であって、
前記薬液の流出中に、ＣＯ２と、１以上の更なるガス又はガス混合物と、がコンテナへ流入することを特徴とする方法。
【請求項２】
請求項１に記載の方法において、
ＣＯ２の添加量は、決定され、その決定に基づいて制御して添加される方法。
【請求項３】
請求項１又は２に記載の方法において、
前記液体の充填液位の変化が測定され、その測定に基づいて、コンテナへ添加されるＣＯ２の量が決定される方法。
【請求項４】
請求項２又は３に記載の方法において、
前記コンテナにおける液体上のガススペースの体積変化は、液体の充填液位の変化に基づいて決定され、
ガススペースの体積変化に応じてＣＯ２の添加量が決定される方法。
【請求項５】
請求項１から４のいずれか１項に記載の方法において、
液体の充填液位が変化する時に、ガススペースの圧力が外部の圧力に自動的に近似されるように、滅菌フィルタを通じて外気が流入する方法。
【請求項６】
請求項１から５のいずれか１項に記載の方法において、
計算によって決定される、ガススペースにおけるＣＯ２の平均体積比が一定となる量でＣＯ２が添加される方法。
【請求項７】
請求項１から６のいずれか１項に記載の方法において、
計算によって決定される、液体と、この液体の上のガススペースとの間の化学物理的な平衡に基づいて、ＣＯ２の添加量が決定される方法。
【請求項８】
請求項１から７のいずれか１項に記載の方法において、
ＣＯ２の添加量の決定が、液体のｐＨを測定せずに行われる方法。
【請求項９】
請求項１から８のいずれか１項に記載の方法において、
ＣＯ２の添加量の決定は、ガススペースにおけるＣＯ２の濃度を測定せずに行われる方法。
【請求項１０】
請求項１に記載の方法において、
ＣＯ２と、１以上の更なるガス又はガス混合物とが、薬液の流出中に、液体上のガススペースへ流入する方法。
【請求項１１】
請求項１から１０のいずれか１項に記載の方法において、
液体が流出する前に、ノズルを通じて所定量のＣＯ２が液体へ注入される方法。
【請求項１２】
請求項１から１１のいずれか１項に記載の方法において、
液体が重炭酸塩溶液である方法。
【請求項１３】
コンテナからの流出時に薬液のｐＨを一定に保つための装置であって、
前記コンテナは、
薬液用の流出口と、
ＣＯ２用の少なくとも１つの流入口と、
１以上の更なるガス又はガス混合物用の流入口と、
を備え、
ガスや液体のノズルによる初期溶液の設定のために、及び／又は、薬液の流出中に、ＣＯ２量を決定し、自動的に供給する電気制御を特徴とする装置。
【請求項１４】
請求項１３に記載の装置において、
マイクロ波測定又はレーザー測定により、コンテナ内の充填液位を決定するトランスデューサーを備える装置。
【請求項１５】
請求項１３又は１４に記載の装置において、
滅菌フィルタを通じてガススペースへの外気の流入を可能にする、コンテナのガススペースと外部とに連通する流路を更に備える装置。
【請求項１６】
請求項１から１２のいずれか１項に記載の方法を実施するための請求項１３から１５のいずれか１項に記載の装置。
【発明の詳細な説明】
【技術分野】
【０００１】
本発明は、コンテナからの流出の際に薬液のｐＨを一定に保つための方法及び装置に関する。このような方法及びこのような装置は、薬液の製造及び充填の際、特に、重炭酸塩透析溶液などの薬液を製造及び充填する際に使用される。
【背景技術】
【０００２】
このような薬液は、無菌条件下のいわゆるバッチ式のコンテナ中で、水（ＷＦＩ、注射用水）と可溶性添加剤とから製造される。バッチコンテナは、例えば、約２４，０００Ｌの大きさを有し、水位が変化する中で液体が充填されている。コンテナにおいて溶液の上にはガススペースが存在し、このガススペースは、化学物理的な平衡に関して、溶液と複雑な相互作用をしている。薬液、例えば重炭酸塩溶液は、非常に狭い公差内で所定のｐＨを常に有するほうがよい。これに関する外乱因子としては、溶液からガススペースへのＣＯ２の抜け出しがあり、その結果としてｐＨの上昇を招く。
【発明の概要】
【発明が解決しようとする課題】
【０００３】
これを算出するため、既知の方法では、溶液にＣＯ２が注入される。この場合、ＣＯ２は、バッチコンテナ（反応器）の底の部分に設けられたノズルから溶液に注入される。特に、ｐＨセンサーは、経時的に変位したり異なった測定値を示すことがあり、定期的にキャリブレーションする必要があるが、そのことがとりわけ状況を悪化させている。インラインセンサーは、無菌状態の維持と相反する。
【０００４】
この場合、ＣＯ２の抜け出しによるｐＨの上昇は、定期的に手作業で抜き取られ、実験室でｐＨが決定される溶液サンプルに基づいて目標値からのずれを決定し、さらに、反応器の底のノズルから溶液にＣＯ２を経験に基づいて注入することにより算出される。これにより、製造期間を通じて、ｐＨの典型的な２点制御が行われる。化学分析に要する時間が長いので、ｐＨの制御のズレは著しい。それに伴い、製造方法も怠惰なものとなる。さらに、ｐＨを一定に維持するためのこの方法は、人手に頼りすぎであり、自動化から遠ざかってしまう。
【０００５】
ｐＨセンサーは、経時的に変位したり異なった測定値を示すことがあり、定期的にキャリブレーションする必要があるが、そのことがとりわけ状況を悪化させている。インラインセンサーは、無菌状態の維持と相反する。
【０００６】
したがって、本発明の目的は、簡単で、時間が短縮でき、しかもコスト効率のよい、コンテナからの流出の際に薬液のｐＨを一定に保つための方法及び装置を提供することである。同様に、本発明の目的は、コンテナからの流出の際に薬液の一定のｐＨを維持するための方法を自動化できるようにすることである。
【課題を解決するための手段】
【０００７】
この目的は、本発明によれば、請求項１による、コンテナからの流出時に薬液のｐＨを一定に保つための方法により達成される。この方法では、本発明に基づき、薬液の流出中に、ＣＯ２と、１以上の更なるガス又はガス混合物とがコンテナへ流入する。本発明は、コンテナ内の液体とガススペースとは密接に相互作用する、という認識を利用している。このプロセスでは、ＣＯ２の分圧が平衡条件を下回っている場合、液体とその上のガススペースとが化学物理的な平衡になるまで、ｐＨを上昇させながら、ＣＯ２は液体から抜け出す。
【０００８】
逆に、ガススペースのＣＯ２の分圧が平衡条件を上回っている場合、ＣＯ２が液体に吸収されることによってｐＨが低下する。この場合、ガススペース雰囲気中のＣＯ２の比率は、ガススペースや溶液の圧力、温度などの物理化学的な基本条件を考慮に入れても、液体のｐＨに関する物理化学的な平衡にとって重要である。液位の低下と、薬液上のガススペースの拡大とが生じる液体の流出時に、液体とガススペースとの間の化学物理的な平衡における物理的な基本条件が変化する。上述の既知の方法では、これによりｐＨがシフトするため、後から補正する必要がある。
【０００９】
それに対し、本発明によれば、ＣＯ２と、１以上の更なるガス又はガス混合物とが流入することにより、液体の流出時にガススペースの物理的な基本条件が変化しても、ｐＨのシフトを全く生じることがなく、初期に設定される化学物理な平衡や、ＣＯ２と１以上の更なるガス又はガス混合物との適切な供給により達成される化学物理な平衡を維持することが可能になる。
【００１０】
平衡条件を満たすためには、ＣＯ２に加えて、１以上の更なるガス又はガス混合物を流入することが重要である。これらガス又はガス混合物は、少なくともＣＯ２に関して液体と強く反応しないほうがよく、ＣＯ２は少量か微量しか含まないほうがよい。この場合、更なるガス混合物としては、特に空気が使用できる。
【００１１】
本発明の方法には、ｐＨを簡単な方法で一定に維持できるという利点があり、この場合、変動は、後から補償されるのではなく始めから防止される。それ故、より簡単でより迅速な方法の工程によってｐＨは一定に維持され、自動化もできる。
【００１２】
さらに、本発明では、溶液サンプルを適切に抜き取り、実験室においてｐＨを決定することによって所望のｐＨを測定するという不十分な方法を、ｐＨの分析が全く不要な簡単な方法に代替できる利点がある。特に、ｐＨの決定は、法律で求められる最終的な溶液の品質制御のために、製造と充填工程が完了した後にたった１回行うだけでよい。
【００１３】
本発明では、ＣＯ２の添加量は、決定され、その決定に基づいて制御して添加するのが好ましい。特に、液体の流出時に、液体のｐＨを維持するために必要なＣＯ２の量は、計算され、制御されて添加される。このとき、計算に基づいてＣＯ２を制御して添加することにより、液体とガススペースとの間の化学物理的な平衡を維持し、それによって液体のｐＨは一定に保たれる。流入する１以上の更なるガス又はガス混合物に関して化学物理的な平衡を維持するためにも、必要なＣＯ２量を決定する必要がある。
【００１４】
本発明の方法では、さらに、液体の充填液位の変化を測定し、その測定に基づいて、コンテナへ添加するＣＯ２の量を決定するのが好ましい。充填液位の変化は、例えば、レーザーセンサーによる非接触法で測定することができる。ＣＯ２の添加のための制御因子としての充填液位の変化は、ＣＯ２の供給の簡単で効率的な制御を可能にする。
【００１５】
さらに本発明では、コンテナにおける液体上のガススペースの体積変化は、特に、上述した液体の充填液位の変化に基づいて決定され、ガススペースの体積変化に応じてＣＯ２の添加量が決定される。ガススペースの体積変化によってガススペースの物理的な基本条件が変化することが考慮されるので、ガススペースと液体との間の化学物理的な平衡を維持するためには、適当なＣＯ２量を添加する必要がある。
【００１６】
さらに本発明の方法では、液体の充填液位が変化する時に、ガススペースの圧力が外部の圧力に自動的に近似されるように、滅菌フィルタを通じて外気が流入する。それ故、外気は、薬液がコンテナから流出する時にＣＯ２と共にコンテナへ流入する１以上のガス混合物である。複雑なフィードバック制御やそれに必要とされる制御なしに、滅菌フィルタを通じた流入によって自動的な圧力補正が行えるので、物理化学的な平均の維持が簡単になる。滅菌フィルタは、液体の汚染を防止するために必要である。特に簡単な工程は、滅菌フィルタを通じたＣＯ２含有量の低い外気の流入とバランスを保つＣＯ２の制御された添加との組み合わせを生じ、それによって物理化学的な平衡が維持される。
【００１７】
さらに本発明の方法では、計算によって決定される、ガススペースにおけるＣＯ２の平均体積比が一定となる量でＣＯ２を添加するのが好ましい。発明者の研究により、計算によって決定される、ガススペースにおけるＣＯ２の平均体積比に基づくＣＯ２の添加は、液体のｐＨを流出工程の全体にわたって一定に保つことに特に適していることが認められている。
【００１８】
これに対し、ＣＯ２の体積比の測定は、ほとんど不可能であるか、ほとんど意味がない。なぜなら、ガススペースにおけるＣＯ２の分圧や体積比は、理論値としてしか示されず、その理論値は、ガススペースでは、実際にはガス密度が異なるので分離や濃度勾配の形成が生じ、混合ガスのガススペースでは有効な測定ができないからである。したがって、化学物理的な平衡の測定を必要とする理論的なＣＯ２の分圧は、ほとんど有効に試験されることがない。
【００１９】
これに対し、計算によって決定される、ガススペース中のＣＯ２の平均体積比に基づいてＣＯ２を添加することで、本発明では、ＣＯ２の分圧のこのような測定は不要となる。むしろ、発明者らの研究により、適当なＣＯ２の添加によるガススペースの大きさの増加を考慮することで、液体のｐＨを一定に維持できる、ということが認められている。
【００２０】
さらには、本発明の方法では、ＣＯ２の添加量は、計算によって決定される、液体とその上にあるガススペースとの間での化学物理的な平衡に基づいて決定するのが好ましい。この場合、特に、ガススペースにおける必要なＣＯ２の体積比は、液体の好ましいｐＨや計算により決定される化学物理的な平衡に関連する温度、圧力などの更なる基本条件に基づいて予め決定することができる。本発明によれば、液体のｐＨを一定に保つためにもまた、この体積比は一定に維持される。
【００２１】
発明者の研究によれば、計算によって決定される化学物理的な平衡状態におけるこのＣＯ２の平均体積比は、ガススペースにおける各ガスの異なるガス密度と、それに関連するガス濃度勾配の形成とにより、局所的には測定できないことが認められている。それにもかかわらず、決定された、平衡状態のＣＯ２の平均体積比から算出されるＣＯ２の添加量によって、溶液中のｐＨは一定に維持される。本発明によるＣＯ２の添加量の決定及び（又は）試験は、一連の測定により可能であり、その測定結果は記憶装置に記憶することができる。
【００２２】
ＣＯ２の添加量の決定は、流出中に行われる液体のｐＨの測定なしに行うことができる。そのような測定は時間を浪費し、方法を高価なものとする。本発明によれば、このような測定を上述したように省くことができる。
【００２３】
ＣＯ２の添加量の決定は、ガススペースにおけるＣＯ２濃度の測定なしに行うことができる。上述したように、いずれにせよこのような測定はほぼ不可能であり、ほとんど有意に実施できない。本発明によれば、上述したように、計算によって決定されるＣＯ２の平均体積比が、ガススペースにおいて一定に維持されるような量でＣＯ２を添加することにより、このような測定を省くことができる。
【００２４】
この場合、本発明の方法では、充填中に、ＣＯ２及び１以上の更なるガス又はガス混合物が、液位の上のガススペースへ流入するようにしておくとよい。ＣＯ２及び１以上の更なるガス又はガス混合物は、ガススペースの雰囲気における液体との化学物理的な平衡を維持するためにガススペースへ直接流入する。
【００２５】
さらには、液体の流出の前に、予め決められた量のＣＯ２を液体へノズルを介して注入するのが好ましい。この場合、本発明によれば、水を入れて可溶性添加物を添加する準備プロセスの終了後に、化学物理的な計算に基づいて事前に決定された量のＣＯ２が、溶液に最初にノズルを介して注入される。その間、特定のｐＨを設定するための測定は全く要さず、むしろ既に存在しているＣＯ２の抜け出しを許容する。
【００２６】
この場合、ガス相と液相との間の高いパルス状の変換により、ノズルによって微細なビーズ状の注入を可能にする注入ノズルを使用するのが好ましい。これにより、液体とその上のガススペースとの間における物理化学的な平衡を伴った溶液の特定のｐＨが最初に生じる。このため、ノズルによる注入中におけるガススペースからのガスの流出は抑制するのが好ましい。本発明によれば、ｐＨも維持するための上述のような方法に基づいて、この化学物理的な平衡は維持される。
【００２７】
本発明の方法は、重炭酸塩溶液の製造や流出の際に好適に使用できる。溶液からのＣＯ２の抜け出しという上記の問題は、このような重炭酸塩溶液において特に生じるが、本発明によれば、物理化学的な平衡の維持により、ｐＨを一定に維持できる。
【００２８】
さらに本発明は、コンテナからの流出時に、薬液のｐＨを一定に維持するための装置を含み、そのコンテナは、その液体用の流出口と、ＣＯ２用の少なくとも１つの流入口と、１以上の更なるガス又はガス混合物用の流入口とを備えている。本発明によれば、この装置は、ガス（液体）のノズルを用いる溶液の設定初期に、及び（又は）、液体の流出中に、ＣＯ２量を決定及び自動的に供給するための電子制御機能を備えている。特に、ＣＯ２量の決定及び自動供給は、上述した本発明の方法の１つに従って行われる。これにより、方法に関して上述したのと同様の効果が得られる。コンテナは、液体とガススペースのそれぞれへのＣＯ２の流入口を備えるのが好ましい。
【００２９】
さらに本発明の装置は、好ましくはマイクロ波（レーザー）による、コンテナ中の充填液位を決定するためのトランスデューサーを備えている。このトランスデューサーによってコンテナ中の充填液位が決定できるので、添加されるＣＯ２量は、充填液位やその低下に基づいて制御することができる。
【００３０】
本発明の装置は、滅菌フィルタを通じて外気がガススペースへ流入可能にする、コンテナのガススペースと外部との間の接続部を備えるのが好ましい。この接続は、１以上の更なるガス又はガス混合物のための入口を示し、自動的な圧力補償に加えて外気の流入を提供する。電子制御によるＣＯ２の同調した供給により、物理化学的な平衡は維持される。
【００３１】
さらに本発明は、上述したような方法を実施するための装置を含む。
【００３２】
本発明は、図面及び実施形態を参照して更に詳しく説明される。
【図面の簡単な説明】
【００３３】
【図１】本発明の実施形態の装置におけるコンテナの概略図である。
【図２】従来技術の方法を使用した流出中のｐＨの変化を示す図である。
【図３】本発明の実施形態における方法を使用した流出中のｐＨの変化を示す図である。
【図４】本発明の実施形態における制御のフロー図である。
【発明を実施するための形態】
【００３４】
本発明の以下に示す実施形態では、本発明の方法や装置は、充填中の重炭酸塩溶液のｐＨを一定に保つために使用される。この場合、まず、重炭酸塩溶液の準備プロセスが終了した後、その間は特定のｐＨの設定のための測定を全く取らずにむしろＣＯ２の抜け出しを許容して、化学物理的な計算に基づいて予め決定された量のＣＯ２をノズルから溶液に注入する。
【００３５】
この実施形態では、例えば、２４，０００Ｌのバッチコンテナに７０ｍｍｏｌ／Ｌの濃度の重炭酸塩溶液が入れられ、初期に設定された１０．５ｋｇのＣＯ２が、ノズルを通じて微細なビーズ状にして溶液に注入される。この場合、微細なビーズ状の注入を可能にする注入ノズルが使用される。
【００３６】
例えばプラスチック袋へ溶液を充填するために、バッチコンテナの底の開口部を通じて出来上がった溶液が流出する間、本発明では、溶液のｐＨは一定に維持する必要がある。このため、ガススペースへノズルを介して注入される、個々に必要なＣＯ２の補充注入量は、充填液位に依存してオンラインで計算される。この場合、溶液の流出中に物理的な基本条件が変化するために、本発明の補充ガス注入無しでは、溶液とガススペースとの間の化学物理的な平衡がシフトし、充填された製品のｐＨの変化を招くことが考えられる。
【００３７】
空化工程（製品を充填する、充填液位を低下させる）の間に、マイクロ波を用いて連続的に測定される重炭酸塩溶液の充填液位に応じて補充するＣＯ２の量が計算され、その量のＣＯ２がノズルを介してガススペースに注入されるので、ガススペースにおけるＣＯ２の量は、ＣＯ２の容量％で２０．５％の計算された理論的なＣＯ２の平均体積比に対応している。しかしながら、理論的な平衡計算に基づいて決定されるこの量は、ガススペースにおいて勾配形成が生じるためにそのいかなる部位においても測定することはできない。
【００３８】
本発明によれば、ＣＯ２の測定は全く必要がなく、むしろ、驚くべきことに、研究において、空にする際のこれらの条件（１５℃、１ｂａｒでの容量％でｘ''ＣＯ２＝２０．５％）の観察はまた、例えば数日間のような、より長い期間、より長い空化工程にわたって、これまでは知られていなかった精度で重炭酸塩溶液のｐＨ＝７．２のｐＨを観察するという結果に終わるということを見出した。
【００３９】
さらに、充填液位の低下の際に、減圧化を補うために、外気が滅菌フィルタを通じてガススペースへ流入する。この場合、空気又は空気中のＣＯ２と重炭酸塩溶液との間の相互作用は、無視できることが証明されている。これに対し、密閉された反応コンテナでは、平衡状態が圧力の変化に応じて絶えず変化するという問題がある。
【００４０】
対して本発明の方法は、滅菌フィルタを通じて空気が流入することにより、ガススペースの圧力を一定に維持でき、圧力の釣り合いのためにＣＯ２を添加する必要はなく、むしろ、圧力の釣り合いとは無関係にＣＯ２を添加する自由度があるという利点を有している。これにより、本発明によれば、重炭酸塩溶液の液位を下回るｘ'ＣＯ２の急な勾配の形成を伴って不都合な強いｐＨの低下を生じることとなる、ノズルを通じてガススペースへ過剰なＣＯ２が注入されることも防止できる。
【００４１】
次に、本発明のこの実施形態について更に詳しく説明する。
【００４２】
（製品、プロセス）
特定の溶液では、無菌の薬液又は医薬品溶液の製造を目的とする製造プロセスの構成において設定されるこれらの特性により、二酸化炭素がガス注入される。これは特に、特定のｐＨの設定のために行われる。この場合、蒸留水（ＷＦＩ−注射用水）に炭酸水素塩（重炭酸塩）や他の適切な粗原料が添加され、溶解される。
【００４３】
例を挙げると、腹膜透析溶液は、（１バッチ当たり２４，０００Ｌを超える）大容量の専門的なプロセスで製造され、一体化したチューブとコネクタシステムとを有するプラスチックバッグシステムに充填される。この場合、その充填バッグシステムでは、溶液は、使用の直前まで２つのコンテナに分けて保存される。バッグシステムのコンテナ１、コンテナ２に分けられる溶液のタイプは、Ａ溶液、Ｂ溶液と称する。この場合、いわゆるＢ溶液は二酸化炭素がガス注入される溶液を示す。
【００４４】
ステンレス鋼からなる相応の大きさのコンテナ（バッチタンクＢ１）において、溶液は、その都度準備され、化学的に分析され、所定の条件下で調整され、それぞれ、下流側のガス／液体反応器（レシーバＢ２、Ｂ３）へと滅菌濾過される。それぞれのバッチラインは、１つのバッチタンクと、２つのレシーバコンテナまたはガス／液体反応器とで構成されている。
【００４５】
例えば、バッチラインの１つは、Ｂ溶液の製造及び準備のために用いられる。バッチラインは、２つの無菌のレシーバコンテナＢ２、Ｂ３を備えているので、各バッチは、確かにバッチ毎に製造されるが、双方のレシーバコンテナの交換又は切り替えによってほぼ連続的に充填することができる。充填プロセスでない各レシーバコンテナは、洗浄や滅菌の段階にある。重炭酸塩を含有するＢ溶液では、２つのレシーバコンテナは、溶液への必要な二酸化炭素のガス注入により、各々の場合においてガス／液体反応器に相当する。
【００４６】
Ｂ溶液の場合、溶液のｐＨの初期設定のために、それぞれ滅菌されたレシーバの状態の下で二酸化炭素を用いて上述のガス注入が行われる。ガス注入は、化学的分析の準備工程及びこれらのコンテナへの滅菌濾過の後に行われる。
【００４７】
ガスは、コンテナの底の部分に設けられた分岐管を通じてその都度、ｐＨの初期設定のプロセス中に添加される。二酸化炭素の供給は、コンテナと管で接続された加圧ガス瓶から行われる。加圧ガス瓶は、生産スペースの中心部を外れた位置に設置されている。
【００４８】
濾過プロセス及びｐＨの初期設定が終了した後、溶液Ａ、Ｂは、充填プロセスの期間中、約１００ｍの長さの環状配管でそれぞれ循環される。２つの環状配管は、バッチラインのレシーバコンテナから場所的に離れて設けられている充填領域の充填ユニットまで導かれている。
【００４９】
充填領域の各充填機を通じて小さな分量が連続的に流出し、大きな分量は浸漬管を通じて各タンクへ連続的に戻される。
【００５０】
充填ユニットの複数の充填部位を通じてその都度流出する量は、１時間当たり数１００Ｌから１，０００Ｌを優に超える範囲で変化する。
【００５１】
充填ユニットによって環状配管からその都度流出する一部の分量は、短いスタブを通じて個々の充填部位へ導かれる。
【００５２】
Ａ、Ｂ溶液の各環状配管から溶液を断続的に取り出すことが行われる。
【００５３】
ポンプを通じて与えられるエネルギーやそれによって生じる溶液の加熱を補うために、ポンプの下流には、それぞれ熱交換器が接続されている。これにより、レシーバからの充填サイクルを数日にわたって使用しても温度を一定に保つことができる。
【００５４】
バッチ及びレシーバコンテナは、疎水性滅菌フィルタを介して、外部環境や生産スペースと連通している。
【００５５】
充填中の溶液の好ましい温度範囲は、１５℃〜２０℃である。ここでより詳細に説明する、２つのコンテナのシステムによる充填では、１５℃の温度で行うのが好ましい。
【００５６】
これらの溶液のタイプでは、低温で二酸化炭素のガス可溶性が高まるので、温度はより低いほうが効果的である。
【００５７】
製造過程の時間的な順序と、バッチ交換ごとのレシーバコンテナの滅菌の必要性とにより、新たに準備される約１５℃の溶液を、高温に加熱されたレシーバコンテナへ濾過することは避けられない。したがって、もし、次のバッチへの変更が、濾過（と、それに続くフィルタ完全性試験）の終了の直後に実行しなければならないとすれば、そのようなオーバーラップのせいで短時間の減圧（残存蒸気量の収縮）を招くだけでなく、滅菌濾過された溶液の温度差も招く。
【００５８】
そのような場合では、ある一定の時間の経過により、上述した、接続された熱交換器によって１５℃の温度レベルに到達することができる。
【００５９】
ここで考慮される、いわゆる２つのコンテナの溶液のＢ溶液の組成について次に説明する。ここで考慮される溶液のタイプで供給される原料としては、炭酸水素ナトリウムだけが設定されている。
【００６０】
二酸化炭素は、ｐＨ設定用の補助原料として示されている。添加する量は後述する。
【００６１】
【表１】
2010535550.tif 000003
【００６２】
【表２】
2010535550.tif 000004
【００６３】
ここで確保されるべきｐＨの範囲としては、７．２〜７．３である。
【００６４】
図１は、無菌の薬剤溶液への二酸化炭素の吸収プロセスに関する大きな専門プラントでの関係を概略図として示している。
【００６５】
（充填前の溶液のガス注入プロセス）
いわゆるＢ溶液では、重炭酸塩（炭酸水素ナトリウム）は、化学的な反応により生じる二酸化炭素の生成後、近似的に熱力学的な平衡状態になる。バッチタンクにおける準備工程中の測定では、ｐＨは約８．３となる。
【００６６】
溶液は、２つの反応器Ｂ２及びＢ３の１つへと滅菌濾過され、この反応器において、ｐＨの設定のために、二酸化炭素がさらにガス注入される。
【００６７】
このガス注入は、注入ノズルを通じて行うのが好ましい。
【００６８】
（ガス注入の最終状態の設定）
ガス注入の工程は、採用する減圧された圧力ガス瓶の圧力と、個々の制御された測定の間のガス注入期間とに関して、既知の方法で各オペレータの経験に基づいて任意に行われ、同時に溶液の冷却も行われる。したがって、プロセスの全体は、非常に主観的に把握されている。
【００６９】
ガス注入を続ける、あるいはある状態下で数回のガス注入の中断を行ってガス注入を終了し、変化のない値でｐＨがそれぞれ測定された後にのみ、代表的なｐＨの状態を評価することができる。これにより、相当に長い時間が必要とされる。
【００７０】
しかしながら、最適な条件下で相応のキャリブレーションを行った場合でも、ｐＨの測定精度は、一般的には、ｐＨの単位で＋／−０．０５の程度である。全期間にわたって確保されるべきｐＨは、７．２〜７．３の間のｐＨでなければならない。充填時間の経過に伴ってｐＨはより高い値へ変位することが知られているので、採用すべき目標値は、ｐＨの許容可能な最低値の７．２である。
【００７１】
ｐＨは、これらの関係のせいで、二酸化炭素を添加するための制御変数としては結局のところ適していない。
【００７２】
ガス注入の工程中に、設定する最終状態に近似する従来の方法では、目的は満たし得ていなかった。このプロセスは、反復的にのみ実施可能であった。
【００７３】
これに対し、本発明によれば、ｐＨの再現性のある設定は、二酸化炭素ガス注入に関し、充填前に、ＣＯ２−ＮａＨＣＯ３−Ｈ２Ｏ系，（２）図２−１における熱力学的な平衡状態と吸収特性とを考慮しながら行われる。
【００７４】
二酸化炭素が外部へ漏れないように、ガス注入の期間中はバルブＶ２は閉じられている。ＣＯ２の平衡の設定が可能になる。この場合、平衡に関しては、無菌の反応器に添加される二酸化炭素のみが解釈され、準備工程中に重炭酸塩の添加により反応によって生じる二酸化炭素は含まない。滅菌フィルタを通じた必要な外気の流入が、チェックバルブ３を通じて確保されている。これにより、（滅菌後の高温のコンテナの）冷却により生じる減圧の可能性に対処することができる。
【００７５】
したがって、二酸化炭素の抜け出しが防止される。
【００７６】
準備する溶液の関連する温度及び圧力の範囲でシステムの相平衡状態への近似の精度を決定する必要がある。熱力学的な平衡状態は、温度、圧力、化学ポテンシャルが全ての相において同じである、ということを表している。
【００７７】
設定しようとするｐＨのために、付加的に吸収される二酸化炭素の量を決定する必要がある。ガス及び液体の相における二酸化炭素濃度と、ガス状の相の二酸化炭素の分圧との関連値も、平衡状態に関連して求める圧力及び温度の範囲で生じる。
【００７８】
相平衡計算の結果やｐＨ、圧力、温度、濃度、ＣＯ２の消費量、ＴＩＣ（全無機炭素）に関する溶液の測定結果は、対応するデータを決定するために、そして最終的には製造プロセスを理論的なデータと一致させるために役立つ。
【００７９】
製造プロセスにおけるシステムの熱力学的な状態を検出するために、次の値を決定することが考えられる。
【００８０】
液体及び蒸気の相における温度、反応器の頂部の領域におけるＣＯ２の全圧や分圧、蒸気及び液体の相における二酸化炭素の比率である。ＣＯ２の抜け出しが抑制され、ガス注入中の圧力上昇はＣＯ２によってのみ引き起こされるために、ＣＯ２の分圧の変化は、異なった時間の全圧を決定することによって実現できる。
【００８１】
バッチ処理に応じて、この場合では製造誘導システムを用い、配合表と溶液量とを参照して添加する二酸化炭素の量が決定され、その供給は、二酸化炭素の質量流量の決定によって制限又は停止することができる。
【００８２】
上記の処理変数の測定によって、平衡状態に対する近似精度に基づく資料が得られる。多大で、時間を要するｐＨの測定を含む繰り返しの処理は不要になる。
【００８３】
（概算される二酸化炭素の必要量）
二酸化炭素の必要量の概算は、実際の場合での結果の比較や予測を得るために、解離定数ＫＳやｐＫＳ値の定数を使用し、質量作用の法則を参照して実施される。
【００８４】
（反応平衡への適用）
【００８５】
【数１】
2010535550.tif 000005
【００８６】
ＣＯ３２−（炭酸塩イオン）の形成は、考えられるｐＨの範囲において無視できる。
【００８７】
上記の式によれば、平衡状態は次のようになる。
【００８８】
【数２】
2010535550.tif 000006
【００８９】
ただし、ＫＣは平衡係数である。
【００９０】
水は過剰なので簡略化できる。
【００９１】
【数３】
2010535550.tif 000007
【００９２】
ただし、「基本表」又は製造指示書では［ＨＣＯ３−］＝７０ｍｍｏｌ／ｌ＝０．０７ｍｏｌ／ｌが与えられている。
【００９３】
Ｈｏｌｌｅｍａｎ及びＷｉｅｂｅｒｇによれば、水と二酸化炭素から炭酸Ｈ２ＣＯ３への置換は僅か約０．２％である。
【００９４】
遊離酸と分離できない炭酸は、理論的には解離定数ＫＳを有する中強度の酸である。全ての式において、Ｈ＋は、実存するヒドロニウムイオンＨ３Ｏ＋を表している。
【００９５】
【数４】
2010535550.tif 000008
【００９６】
しかしながら、溶解する二酸化炭素の約９９．８％はＨ２ＣＯ３としてではなく、むしろ、水和したＣＯ２として存在するので、溶液全体は弱い酸として機能する。
【００９７】
解離されなかった酸の比率を考慮すると、いわゆる「明らかな解離定数」が与えられ、溶液の実際の特性をより簡単に説明できる。
【００９８】
【数５】
2010535550.tif 000009
【００９９】
これに次を適用する。
【０１００】
ｐＫＳ＝−ｌｇＫＳ
ｐＫＳ＝６．３５［Ｈｏｌｌｅｍａｎｎ及びＷｉｂｅｒｇによる］
ＫＳ＝１０−６．３５
反応器中のガス注入されていない（濾過後の）溶液のｐＨは、一連の試験の測定によれば８．５であり、ガス注入後に最終的に設定されるｐＨは７．２である。したがって、ｐＨの規定した後のプロトン濃度は次のようになる。
【０１０１】
【数６】
2010535550.tif 000010
【０１０２】
上述の関係から、二酸化炭素の濃度は次のようになる。
【０１０３】
【数７】
2010535550.tif 000011
【０１０４】
ｐＫＳ＝６．３５では次のようになる。
【０１０５】
【数８】
2010535550.tif 000012
【０１０６】
したがって、二酸化炭素の濃度の変更のためのガス注入の開始と終了との間の差は次のようになる。
【０１０７】
【数９】
2010535550.tif 000013
【０１０８】
４４．０１１ｇ／ｍｏｌ［リンデガス社］の二酸化炭素についての分子重量では、１Ｌの溶液に対し、次のような二酸化炭素の必要量となる。
【０１０９】
【数１０】
2010535550.tif 000014
【０１１０】
上記の計算では、体積の計算に関し、２４ｍ３の溶液量を想定しているが、反応器は２６．８ｍ３の内容量を有している。相平衡（添付Ｂ参照）のための理論的な計算から、気相は、溶液量が２４ｍ３である場合、約１．０５４ｋｇの二酸化炭素を有するということが分かる。結果が一般的に比較できるように、上記結果はこの値によって修正され、２つの値の加算に基づいて反応器の２４，０００Ｌの溶液に対する二酸化炭素必要量が得られる。
【０１１１】
ｍ１＋ｍ２＝ｍｔｏｔ
８．７８９ｋｇ＋１．０５４ｋｇ＝９．８４３ｋｇ  二酸化炭素／２４，０００Ｌ  反応器中の溶液
質量作用の法則を用いた理想的な計算では、特に、炭酸水素ナトリウムの存在や、これにより生じる二酸化炭素量は考慮されていない。
【０１１２】
ｐＨの設定に実際に必要なＣＯ２量に関し、比較測定が考慮される。
【０１１３】
この場合、意図する溶液の設定ができるように二酸化炭素の添加量が決定される。
【０１１４】
したがって、コンテナの所定の二酸化炭素量に関し、それぞれ予め選択された溶液量を用い、プロセス誘導システムによる個々の充填液位において対応した所定の二酸化炭素量を自動的に計算することや、二酸化炭素量が所定の目標値になるとガス供給を自動的に停止することがあり得る。充填液位が異なるという要因も考慮に入れられている。したがって、その後のｐＨの決定では、達成しようとする７．２のｐＨが確実なものとなる。
【０１１５】
絶対量に関しては、溶液量が多いと必要量が少なくなる場合がある。
【０１１６】
仮に、ガス注入の方法や溶液量を区別せずに単純化すると、使用される二酸化炭素量の絶対的な範囲は、１０．２５ｋｇ〜１２．９ｋｇに広がる。
【０１１７】
これは、相平衡に基づく理論的計算の結果と比較することができる。
【０１１８】
所定の二酸化炭素量は、液相及び気相において必要である。仮に充填液位が下がれば、二酸化炭素は液相から気相へ移行する。充填液位に応じて、液相や気相における二酸化炭素の比率は変化する。
【０１１９】
本システムにおける平衡状態についての計算では、約１０．５ｋｇという二酸化炭素量の平均値が出る。
【０１２０】
全体として見れば、実際の関係については近似的にしか達成できないこの理論的な状態への優れた近似が、上記の値によって見出すことができる。
【０１２１】
試験評価により、一連の処理を通じてガス注入の時間は変化するが、使用される二酸化炭素量はそれによって大きく影響されないことが明らかになった。
【０１２２】
定量する二酸化炭素量の事前の決定により、バッチラインの製造で利用するプラントの増加と、スタッフの必要性の低下とに関して節約がなされる。ガス注入モードの約３回の停止からの開始し、対応するサンプリングや、実験室におけるｐＨの測定のキャリブレーション、計算や測定、ガス注入の再開が行われ、目的とする開始された最後の状態の到達後に、ｐＨの決定は、その到達状態を確定するために一回しか必要とされない。
【０１２３】
上述した約２０分の個々の作業の所要時間では、バッチ当たり約４０分の作業時間の短縮となる。プラントの利用性の増加や実験器具の利用性、消耗品の節約も同様である。
【０１２４】
（従来技術の方法における、充填期間中のｐＨの変化について）
溶液の充填は、約４０時間の期間にわたって無菌反応器の充填液位の連続した低下を生じる。既知の方法では、溶液のｐＨは、このプロセス期間中は連続的に増大し、ｐＨ７．３の上限値を超えることになる。
【０１２５】
この場合、通常は設置されたインラインのｐＨプローブにより、充填バルブの自動的な閉鎖によって充填は中断される。
【０１２６】
各オペレータの経験に基づいて数分間の間、溶液には二酸化炭素の後ガス注入が行われる。
【０１２７】
ガス注入は所定期間後に終了され、それによって得られるｐＨは、サンプルと実験室でのｐＨの測定で数回確定される。この手順は、７．２〜７．３の間のｐＨに達するまで相当に頻繁に繰り返される。この場合、充填液位が低減するにつれてｐＨは上がり続けるので、溶液の準備後の初期設定に応じて、下限値の７．２に戻すように調整する努力がなされる。
【０１２８】
設置されたインラインのプローブは、実験室のｐＨの測定によるｐＨの測定に基づいて、適宜、その測定変換器を介して実際の値に調整される。
【０１２９】
製造停止や後ガス注入作業の停止のそれぞれは、約４５分である。発生回数の推移は初期設定の品質に依存し、溶液が下限のｐＨ７．２近くに最適に設定されている場合でも、各バッチの充填サイクルでは経験的に約４回は必要にな可能性がある。
【０１３０】
図２に、ガス注入及び充填プロセスを使用した場合でのｐＨの推移を示す。
【０１３１】
本発明では、コンテナの充填液位に応じた熱力学的な平衡に基づく状態変数を用いて二酸化炭素を再供給することにより、充填中のｐＨを安定させることができる。
【０１３２】
充填プロセス中、付加的に生じる容積は、滅菌エアフィルタを通じて流入する室内空気によって置き換えられる。これにより、反応器のガススペースにおける二酸化炭素の濃度は初期状態よりも低下する。
【０１３３】
したがって、平衡状態は、２つの相の間で近似的に連続して繰り返し採用される。溶液から気相へ二酸化炭素が抜け出す結果、溶液のｐＨは増大し、ある時間の経過後には７．３の上限値を上回る。
【０１３４】
チェックバルブＶ３は、充填プロセス中、又は反応器の充填液位が低下した場合に、室内空気の流入を許し、減圧の形成を防止する。測定された充填液位と、相平衡における気相の既知の二酸化炭素の濃度とに応じて、少量の二酸化炭素が、別に、ほぼ連続的にバルブＶ２を通じてガススペースへ添加される。チェックバルブと、充填期間中は閉じられる空気フィルタバルブＶ２とにより、ガスの流出は防止される。
【０１３５】
充填回路、つまり「大きな循環回路」において絶えず流れる溶液の逆流は、浸漬された管を介して行われるので、気相を通る液体の噴射による二酸化炭素の直接的な吸収は回避される。
【０１３６】
反応器における気相と液相との間の熱力学的な状態や開始時に採用される近似的な平衡状態はほぼ維持されており、二酸化炭素の解離やｐＨの増大は算出される。
【０１３７】
要するに、各バッチ（約２４，０００袋のシステム）での充填期間にわたるｐＨの勾配形成はこの方法により防止できるので、ｐＨの変化が生じずに済むということができる。
【０１３８】
これにより、充填のバッチ毎に約４回の後ガス注入作業を省けるので、バッチ毎に約３時間の製造停止を回避できる。
【０１３９】
代替の解決方法：流入する室内空気の量に依存する熱力学的な平衡における状態変数に基づいて二酸化炭素を再供給することによる、充填中のｐＨの安定化について
先に示した方法に基づくと、充填液位の低下とそれに伴う減圧（Ｖ２は常時開）により、滅菌フィルタを通じて室内空気が吸引、流入するとき、二酸化炭素の再供給を、ＳＰＳ制御のみによって実行することが考えられる。この状態を確定するために、フィルタ（ＦＩＣ１）の領域において、対応する流量の高精度レンジでの測定機能が備えられ、この流量の測定によってバルブＶ１を通じた二酸化炭素の流入が制御される。
【０１４０】
ＣＯ２の添加は、理論的に決定する平衡状態のモル分率に基づいて行うのが好ましい。溶液システムのｐＨ、温度、圧力、組成は維持されるほうがよいので、モル分率は、充填期間中、同一に維持するべきである。更に、二酸化炭素の供給は、流入する室内空気の量と、充填ユニットや袋システムの充填速度とによってのみ決定されるのが好ましい。
【０１４１】
ガス供給バルブＶ１が制御バルブとして構成されている場合、流入する室内空気の量により、コンテナの気相中の室内空気に対する予め設定された二酸化炭素の比率が維持されるように、ガス供給バルブＶ１の目標とする設定値が設定される。これにより、システムは、速度の異なる充填工程に直接対応する。先のケースでの説明とは異なり、二酸化炭素の供給は、室内空気の供給が行われる期間中も連続的に行われる。これにより、反応器の気相の組成の設定は、意図を持って直接的に行われ、安定した条件が得られる。
【０１４２】
しかしながら、反応器システムでは、接続された管流路に関して気密性が必要なため、プラントへ流入する室内空気の量に基づいて二酸化炭素を再供給するという解決法には問題がある。したがって、充填液位の変化に基づく制御が好ましい。
【０１４３】
充填液位の低下速度や理論的に決定される相平衡状態における組成を考慮して、制御された方法でシステムに補充される量が供給されるが、溶液システムでは、気相に約２０．５容量％の二酸化炭素が観察される。
【０１４４】
１２．９ｋｇの設定消費量と、空の反応器での相平衡の場合に理論的な計算に基づいて決定される二酸化炭素量（１０．０９ｋｇ）とに対し、１１．１５ｋｇ（図３）の量の二酸化炭素量の補充の良好な再現性が興味深い。ｐＨが理想的に一定に推移し、相平衡状態が維持されると仮定しても、２４，０００リットル容量の反応器における気相の既存の二酸化炭素量の比率もまだ付加される必要がある。計算値によれば、その量は約１．０５ｋｇの二酸化炭素に相当する。吸入される室内空気中の二酸化炭素による僅かな添加量は無視される。
【０１４５】
反応器において測定される充填液位の低下に基づいて制御されるので、反応器は、作業によるサポートなしに、上記の制御によって自動的に充填する、場所的に離れた製造ラインの変更に対応する。
【０１４６】
次に、制御の構成について詳細に説明する。次の説明により、更なる説明はせずに、ｐＨ測定の曲線を参照して、結果を再現できるであろう。
【０１４７】
ここでは、いわゆる「ヘッドスペース法」と呼ばれる方法を示している。
【０１４８】
図３では、（図２に基づく評価に対し）、充填の終了前まで一定に維持されているｐＨの推移を示している。
【０１４９】
この場合、許容可能なｐＨの限界の上昇もまた、必要とされる後ガス注入の作業を防ぐことができないことが指摘される。一連の試験Ｉの構成で再現されるｐＨの推移（図２参照）は、より高い値への増加を示しており、例えば、許容可能なＩＰＫの上限のｐＨ７．４への上昇は問題に対する解決策になり得ないことを曲線の傾きが示している。
【０１５０】
浸漬した管（コンテナの流出口近傍に配置）の好ましい形態の改善の可能性は、反応器が空になる際に生じる。そこでは、液表面からの浸漬した流出経路の流出により、ｐＨが短時間で上昇する（図３参照）。これまでは、反応器を空にする前に、数Ｌの残量が捨てられて反応器は分離制御によって空にされるので、充填ラインの製造工程で、この状態は到達していない。
【０１５１】
反応器を空にする操作は、１つの反応器から他の反応器への自動的な切替操作と関連しているので、好ましい半連続的な運転が実現される。ｐＨがいくらか上昇しても、ｐＨは、依然として許容可能な範囲、すなわち７．３よりも小さい範囲にある。最終的には、これは、予めｐＨ＝７．２の一定のｐＨに維持することによって実現される。
【０１５２】
充填工程における充填時間や溶液量に応じて、約２〜４回の中断で、中断毎に約４５分の後ガス注入の作業を省略するこの方法の実現により、労力が軽減される。依頼の状況や、溶液のタイプで異なる袋サイズに対する市場の需要に応じて、年々に計算可能な充填用の溶液量が得られる。様々な国からの配給需要によって特別な回数で必要な袋数が規定され、バッチの規模や反応器への充填量が予測される。
【０１５３】
上述した製造での２回から４回の約４５分の中断に対し、溶液のタイプに応じた本発明の方法の適用により、相当な時間の製造停止が回避される。さらに、後ガス注入の作業を行うための労力も軽減される。
【０１５４】
制御バルブや付属の配管の設置、二酸化炭素の流量測定、二酸化炭素の追加需要（１１．１５ｋｇ、図３）により増加する労力は、その負担軽減に比べて些細なものである。
【０１５５】
図４は、（充填液位０％から１００％の）入力信号から始まって、制御バルブの制御変数（０％から１００％）までの概略的な制御手順を示している。
【０１５６】
装置には、メモリやプログラム可能な制御用のＳ５−１１５Ｕ  ＣＰＵ  ９４４Ｂを用いている。
【０１５７】
図４の制御図における１）〜６）は、次のように簡潔に説明される。
【０１５８】
１）１００個の値から平均値を形成する（新しい値／秒）。
【０１５９】
２）１％の充填液位の低下は、２５０Ｌの溶液の充填、又は、２５０Ｌの溶液増大に相当する。２５０Ｌで２０．５％（二酸化炭素；相平衡の観察による）、１％の充填液位の低下毎に５１．２５Ｌの二酸化炭素が添加される。
【０１６０】
３）期間中の流量の積算による実際量である。
【０１６１】
４）安定した制御特性を達成するための、二酸化炭素量の目標／実際の評価を行うための比較制御、あるいは増幅率（初期値は二酸化炭素の目標流量に相当）である。
【０１６２】
増幅率＝１００、すなわち、流量の目標値は、１ＬでのＣＯ２量の目標／実際の偏差当たり１００ｍｌ／分増加する。
【０１６３】
５）測定する二酸化炭素が１〜５Ｌ／分の有効で許容可能な動作範囲内に収まるように、デッドゾーン／ヒステリシスを考慮する。
【０１６４】
ＣＯ２の流量の目標値は、１０００ｍｌ／分を超えて増加するまで、９００ｍｌ／分から低下する際、０ｍｌ／分に設定される（「クリープフロー」の防止、例えば、仮に１０Ｌ未満のＣＯ２が損失する場合、制御バルブは閉じたままである（１０Ｌの入力値×増幅１００＝１０００ｍｌ／分の初期値）。
【０１６５】
５，０００ｍｌ／分からは、目標値は５，０００ｍｌ／分に設定、あるいは「凍結」される（流量計測器の最大測定レンジ）。
【０１６６】
６）目標／実際の状態の「安定化」又は近似のための、制御バルブのＰＩ制御である。安定した制御特性を得るために、目標／実際の偏差は５％に設定される。
【０１６７】
本発明は、ガス／液体の反応器の気相への二酸化炭素の補充により、事前に設定して液相のｐＨが一定に維持されるシステムを確立する方法を示している。この方法は「ヘッドスペース法」と称される。この場合、近似された相平衡状態の維持は、液相からの二酸化炭素の抜け出しを防止する。
【０１６８】
「ヘッドスペース法」の実現により、労力は低減され、特に各製造ラインにおけるプラントの利用性が向上する。
【０１６９】
同様に、本発明は、例えば、変更された炭酸水素塩含有量と、電解質として添加される塩化ナトリウムとを有し、二酸化炭素がガス注入される溶液など、他の溶液の充填や製造に利用できる。
【０１７０】
熱力学的平衡に基づいて決定される理論的な二酸化炭素の濃度に応じて、同様にしてこの溶液システムで溶液の調整が行われ、二酸化炭素は反応器のヘッドスペースに補充される。
【０１７１】
本発明のヘッドスペース法は、二酸化炭素をガス注入する必要のある、他の薬品溶液や薬剤溶液において好適に使用できる。
【符号の説明】
【０１７２】
ＣＩＰ  定置洗浄；蒸留水８０℃、注射用水
ＳＩＰ  定置滅菌；純蒸気１２１℃
ＣＯ２  二酸化炭素
（装置及び器具）
Ｉ１，Ｉ２，Ｉ３  インジェクタＩ１，Ｉ２，Ｉ３
ＢＸ  インジェクタＩ１，Ｉ２，Ｉ３を有する無菌レシーバとしての反応器Ｂ２、Ｂ３
Ｐ１  ポンプＰ１
Ｗ１  熱交換器Ｗ１
Ｆ１  空気フィルタＦ１（疎水性滅菌フィルタＰＶＤＦ）
Ｖ１  バルブ１、二酸化炭素を主に供給する
Ｖ２  バルブ２、コンテナを外部へ開放する
Ｖ３  バルブ３、コンテナの通気用のチェックバルブ
Ｖ４  バルブ４、ガススペースへ二酸化炭素を補充する
Ｖ５  バルブ５、液体へＣＯ２を供給する
Ｖ６  バルブ６、充填時に供給する
Ｖ７  バルブ７、二酸化炭素の後溶解のバイパスバルブ
Ｖ８  バルブ８、「小さな」タンク循環
（測定技術）
ＦＱ１／Ｔ２  ＣＯ２の質量流量を測定する
ＦＩＣ１  流入する室内空気の流量を測定する
ＴＩＣ１  冷水の流れにより温度を制御する
Ｑ１  品質変数−液体表面上の気相のＣＯ２の含有量
Ｑ２  品質変数−ｐＨ、インライン測定
Ｐ１  ＣＯ２の圧／分圧
Ｌ１  コンテナの充填液位
Ｔ１  液体の温度
Ｉ１  インジェクタ１、ｐＨの設定のための溶液へのガス注入
Ｉ２  インジェクタ２、ガススペースへの過剰な二酸化炭素の溶解
Ｉ３  インジェクタ３、バイパスの流れとノズルＩ２から溶解前の二酸化炭素とを混合
【図１】
2010535550.tif 000015
【図２】
2010535550.tif 000016
【図３】
2010535550.tif 000017
【図４】
2010535550.tif 000018
【国際調査報告】
2010535550.tif 000019
2010535550.tif 000020
2010535550.tif 000021
2010535550.tif 000022
2010535550.tif 000023
2010535550.tif 000024